(57)【要約】【課題】フレキシブルフラットケーブルの一部を巻き込むようにして、フレキシブルフラットケーブルが折れ曲がってしまうと、キャリッジが折れ曲がった部分のフレキシブルフラットケーブルに当接し、キャリッジが移動できなくなってしまうという課題がある。【解決手段】筐体の内部でキャリッジ９の移動方向Ｄ１において湾曲した湾曲形状を有する折り返し部を有し、キャリッジ９の往復移動に伴って、折り返し部における湾曲形状が変化するフレキシブルフラットケーブル１４と、フレキシブルフラットケーブル１４の画像読取部側をキャリッジ９に固定する固定部１３と、を備え、固定部１３には、キャリッジ９の移動方向Ｄ１と交わる方向Ｄ２に曲がる面である傾斜面５１ａ，５１ｂが形成され、フレキシブルフラットケーブル１４は、傾斜面５１ａ，５１ｂに当接し、固定される画像読取装置を提供する。【選択図】図３
2012083515.tif 000002
【特許請求の範囲】
【請求項１】
原稿台を支持する筐体と、
前記筐体の内部を前記原稿台の盤面と平行に往復移動するキャリッジと、
前記キャリッジに搭載され、前記原稿台に載置された原稿からの反射光を出力信号に変換するイメージセンサーを有し、前記原稿から画像を読み取る画像読取部と、
前記画像読取部から出力された前記出力信号を画像データに変換処理するデータ処理部と、
一端が前記画像読取部と電気的に接続され、他端が前記データ処理部と電気的に接続され、前記筐体の内部で折り返し部が形成される信号ケーブルと、
前記キャリッジに設けられ、前記信号ケーブルを前記キャリッジに固定する固定部と、を備え、
前記固定部は、前記信号ケーブルの幅方向に対して曲げを付与することを特徴とする画像読取装置。
【請求項２】
請求項１に記載の画像読取装置であって、
前記固定部には、面が形成され、前記面により曲げが付与されることを特徴とする画像読取装置。
【請求項３】
請求項２に記載の画像読取装置であって、
前記面は、複数の傾斜面から構成され、前記複数の傾斜面によって、前記キャリッジの移動方向に伸びる少なくとも一つの辺が形成されることを特徴とする画像読取装置。
【請求項４】
請求項２に記載の画像読取装置であって、
前記面は、湾曲していることを特徴とする画像読取装置。
【請求項５】
請求項２から請求項４のいずれか一項に記載の画像読取装置であって、
前記面は、前記キャリッジの移動方向に対して、前記キャリッジ側から前記原稿台側を向く方向に傾斜していることを特徴とする画像読取装置。
【請求項６】
請求項１から請求項５のいずれか一項に記載の画像読取装置であって、
前記信号ケーブルの幅方向において、前記信号ケーブルにおける前記固定部に固定される部位の幅は、前記信号ケーブルの前記折り返し部における幅より長いことを特徴とする画像読取装置。
【請求項７】
画像を記録媒体に形成する画像形成装置と、
請求項１から請求項６のいずれか一項に記載の画像読取装置と、を備えた複合機。
【発明の詳細な説明】
【技術分野】
【０００１】
本発明は、画像読取装置、複合機に関する。
【背景技術】
【０００２】
イメージセンサーを搭載したキャリッジを原稿台の盤面と平行に往復移動することにより、原稿台に置かれた原稿から画像を読み取るキャリッジ移動型の画像読取装置がよく知られている。このような画像読取装置としてのイメージスキャナーには、原稿から画像を読み取るための画像読取部と、画像読取部から出力された信号を画像データに変換するデータ処理部が備えられる。
画像読取部と、データ処理部とは、平板状の信号ケーブルであるフレキシブルフラットケーブルによって電気的に接続される。画像読取部は、往復移動するキャリッジに搭載され、データ処理部は、筐体に固定された回路基板で構成される。フレキシブルフラットケーブルの一端が、往復移動するキャリッジに固定され、フレキシブルフラットケーブルの他端が、筐体に固定された回路基板に固定される。
フレキシブルフラットケーブルは、キャリッジの移動方向に折り返された状態で備えられる。キャリッジが往復移動するとき、フレキシブルフラットケーブルの湾曲した折り返し部の一部が原稿台に接触し、原稿台およびフレキシブルフラットケーブルを損傷する場合がある。
【０００３】
そこで、例えば、特許文献１では、フレキシブルフラットケーブルに原稿台側から当接させる押さえ部をキャリッジに備え、フレキシブルフラットケーブルを原稿台から離間させるようにした画像読取装置が提案されている。
【先行技術文献】
【特許文献】
【０００４】
【特許文献１】特開２００４−３４８０７４号公報
【発明の概要】
【発明が解決しようとする課題】
【０００５】
しかしながら、キャリッジが移動するとき、フレキシブルフラットケーブルの一部を巻き込むようにして折れ曲がってしまう場合がある。フレキシブルフラットケーブルの一部を巻き込むようにして折れ曲がってしまうと、キャリッジが折れ曲がった部分のフレキシブルフラットケーブルに当接し、キャリッジが移動できなくなってしまうという課題がある。
【課題を解決するための手段】
【０００６】
本発明は、上述の課題の少なくとも一部を解決するためになされたものであり、以下の形態または適用例として実現することが可能である。
【０００７】
［適用例１］原稿台を支持する筐体と、前記筐体の内部を前記原稿台の盤面と平行に往復移動するキャリッジと、前記キャリッジに搭載され、前記原稿台に載置された原稿からの反射光を出力信号に変換するイメージセンサーを有し、前記原稿から画像を読み取る画像読取部と、前記画像読取部から出力された前記出力信号を画像データに変換処理するデータ処理部と、一端が前記画像読取部と電気的に接続され、他端が前記データ処理部と電気的に接続され、前記筐体の内部で折り返し部が形成される信号ケーブルと、前記キャリッジに設けられ、前記信号ケーブルを前記キャリッジに固定する固定部と、を備え、前記固定部は、前記信号ケーブルの幅方向に対して曲げを付与することを特徴とする画像読取装置。
【０００８】
この構成によれば、固定部は、信号ケーブルの幅方向に対して曲げを付与する。そのため、信号ケーブルは、信号ケーブルの幅方向に対して曲げられた状態で、固定部に固定される。これにより、信号ケーブルは、キャリッジの移動方向において折れ曲がることが抑制されるので、キャリッジの移動に伴って信号ケーブルの一部を巻き込むようにして折れ曲がってしまうことが抑制される。従って、信号ケーブルの一部を巻き込むようにして折れ曲がった部分の信号ケーブルに、キャリッジが当接し、キャリッジが移動できなくなってしまうことを防止できる。
【０００９】
［適用例２］前記固定部には、面が形成され、前記面により曲げが付与されることを特徴とする上記画像読取装置。
【００１０】
この構成によれば、信号ケーブルは、信号ケーブルの幅方向に対して折れ曲がるようにして面に固定される。そのため、信号ケーブルは、キャリッジの移動方向において折れ曲がることが抑制される。
【００１１】
［適用例３］前記面は、複数の傾斜面から構成され、前記複数の傾斜面によって、前記キャリッジの移動方向に伸びる少なくとも一つの辺が形成されることを特徴とする上記画像読取装置。
【００１２】
この構成によれば、信号ケーブルは、辺に沿って折れ曲がるようにして固定される。そのため、信号ケーブルにも、キャリッジの移動方向の直線である少なくとも一つの辺が形成される。これにより、信号ケーブルは、キャリッジの移動方向において折れ曲がることが抑制される。
【００１３】
［適用例４］前記面は、湾曲していることを特徴とする上記画像読取装置。
【００１４】
この構成によれば、信号ケーブルは、湾曲している面に当接して固定されるので、信号ケーブルには、信号ケーブルの幅方向に曲がる湾曲部が形成される。これにより、信号ケーブルは、キャリッジの移動方向において折れ曲がることが抑制される。
【００１５】
［適用例５］前記面は、前記キャリッジの移動方向に対して、前記キャリッジ側から前記原稿台側を向く方向に傾斜していることを特徴とする上記画像読取装置。
【００１６】
この構成によれば、信号ケーブルは、固定部から原稿台側に向かって突き出すように固定される。これにより、信号ケーブルの一部を巻き込むことを抑制する。
【００１７】
［適用例６］前記信号ケーブルの幅方向において、前記信号ケーブルにおける前記固定部に固定される部位の幅は、前記信号ケーブルの前記折り返し部における幅より長いことを特徴とする上記画像読取装置。
【００１８】
この構成によれば、固定部において信号ケーブルを曲げようとするときの支点と作用点の距離を長くすることができるので、固定部における信号ケーブルを固定する力を小さくすることができる。
【００１９】
［適用例７］画像を記録媒体に形成する画像形成装置と、上記画像読取装置と、を備えた複合機。
【図面の簡単な説明】
【００２０】
【図１】イメージスキャナーの概略構成を示す模式図。
【図２】フレキシブルフラットケーブルを示す図。
【図３】（ａ）は、キャリッジに設けられた固定部の外観斜視図、（ｂ）は、固定部によって固定されたＦＦＣを示す外観斜視図。
【図４】（ａ）は、副走査方向から見た傾斜面の断面形状を示す図、（ｂ）は、フレキシブルフラットケーブルの折り返し部を示す外観斜視図、（ｃ）は、フレキシブルフラットケーブルの断面図。
【図５】キャリッジが副走査方向に往復移動するとき、主走査方向から見たフレキシブルフラットケーブルの折り返し部の形状が変化する様子を説明する図。
【図６】（ａ）は、比較例におけるキャリッジに設けられた固定部の外観斜視図、（ｂ）は、比較例における固定部によって固定されたフレキシブルフラットケーブルを示す外観斜視図。
【図７】比較例におけるキャリッジが副走査方向に往復移動するとき、主走査方向から見たフレキシブルフラットケーブルの折り返し部の形状が変化する様子を説明する図。
【図８】（ａ）は、第２実施形態におけるキャリッジに設けられた固定部の外観斜視図、（ｂ）は、第２実施形態における副走査方向から見た固定部における複数の辺の断面形状を示す図。
【図９】（ａ）は、第３実施形態におけるキャリッジに設けられた固定部の外観斜視図、（ｂ）は、副走査方向から見た曲面の断面形状を示す図。
【図１０】第４実施形態におけるキャリッジに設けられた固定部の外観斜視図。
【図１１】第４実施形態における固定部に固定されたフレキシブルフラットケーブルを主走査方向から見た模式図。
【図１２】第５実施形態におけるフレキシブルフラットケーブルを示す図。
【図１３】（ａ）は、第６実施形態におけるキャリッジに設けられた固定部の外観斜視図、（ｂ）は、固定部によって固定されたフレキシブルフラットケーブルを示す外観斜視図。
【図１４】複合機の概略構成を示す模式図。
【発明を実施するための形態】
【００２１】
（第１実施形態）
以下、第１実施形態について図面を参照しつつ説明する。図１は、画像読取装置としてのイメージスキャナー１の概略構成を示す模式図で、主走査方向Ｄ２から見た図である。イメージスキャナー１は、フラットベットタイプのイメージスキャナーである。
【００２２】
透明なガラス板である原稿台４が、筐体２に支持されて筐体２の開口部３に設けられる。開口部３は、ヒンジ（不図示）によって回動可能な原稿カバー５によって覆われた状態となったり、開放された状態になったりする。
【００２３】
キャリッジ９は、筐体２の内部に設けられたガイド部１０に案内されて、副走査方向Ｄ１に往復移動する。副走査方向Ｄ１は、キャリッジ９の移動方向Ｄ１である。
【００２４】
キャリッジ９には、光学ユニット８が備えられる。光学ユニット８は、不図示の光源と集光部とから構成される。光源は、例えば、主走査方向Ｄ２に並ぶ複数のＬＥＤ（Ｌｉｇｈｔ  Ｅｍｉｔｔｉｎｇ  Ｄｉｏｄｅ）から構成され、集光部は、ＬＥＤに対応して並ぶ複数のレンズから構成される。主走査方向Ｄ２は、キャリッジ９の移動方向Ｄ１と交わる方向Ｄ２である。
【００２５】
キャリッジ９には、イメージセンサー７が備えられる。イメージセンサー７は、複数の受光素子としてのＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）が主走査方向Ｄ２に並んで構成される。
【００２６】
回路基板１２には、光学ユニット８を構成するＬＥＤを駆動するための駆動回路（不図示）や、イメージセンサー７を駆動するための駆動回路（不図示）が設けられる。回路基板１２には、配線コード導出部としてのコネクター１１が設けられる。
【００２７】
画像読取部６は、光学ユニット８、イメージセンサー７、回路基板１２、コネクター１１を含んで構成される。画像読取部６は、キャリッジ９の副走査方向Ｄ１の移動に伴って、光学ユニット８の光源によって原稿台４に載置された原稿Ｓに光を照射し、原稿Ｓからの反射光をイメージセンサー７によって受光する。イメージセンサー７からは、アナログ信号が出力される。
【００２８】
このように、画像読取部６は、キャリッジ９の副走査方向Ｄ１の移動に伴って、原稿Ｓに照射し、原稿Ｓからの反射光を受光し、アナログ信号に変換することができる。
【００２９】
データ処理部１５は、画像読取部６から出力された出力信号としてのアナログ信号をデジタルデータに変換し、ガンマ補正やシェーディング補正などを行い、画像データに変換する。データ処理部１５は、筐体２の内部の底面に固定して備えられる。データ処理部１５には、コネクター１６が備えられる。
【００３０】
図２は、フレキシブルフラットケーブル１４を示す図である。フレキシブルフラットケーブル（以降、ＦＦＣと称する）１４は、副走査方向Ｄ１に伸びる複数の導線１４ｃが主走査方向Ｄ２に並んで構成される。
【００３１】
破線で示す導線１４ｃは、樹脂などの絶縁体１４ｄで被覆されていることを示す。露出部１４ａ，１４ｂは、ＦＦＣ１４の一端と他端を示し、露出部１４ａ，１４ｂにおける実線で示す導線１４ｃは、絶縁体１４ｄで一方の面が被覆され、他方の面が露出している。
【００３２】
図１のコネクター１１に図２のＦＦＣ１４の一端である露出部１４ａを挿入し、図１のコネクター１６に図２のＦＦＣ１４の他方の一端である露出部１４ｂを挿入し、画像読取部６とデータ処理部１５とが電気的に接続される。
【００３３】
本実施形態では、図１のデータ処理部１５は、筐体２の内側底部の図面右側に備えられているが、筐体２の内側底部の図面右側に貫通孔（不図示）を設け、ＦＦＣ１４をこの貫通孔を通して筐体２の外部に備えられたデータ処理部１５と接続するようにしてもよい。
【００３４】
図１のＦＦＣ１４には、鉛直方向Ｄ３の鉛直面における副走査方向Ｄ１の範囲Ａには、折り返し部が形成されている。折り返し部には、湾曲形状が形成されている。キャリッジ９の副走査方向Ｄ１の移動に伴って、範囲Ａは変化し、湾曲形状が変化する。
【００３５】
ＦＦＣ１４は、湾曲形状が変化しても導通性が確保できる可撓性を有している。そのため、折り返し部が形成されるように、ＦＦＣ１４を備えることにより、キャリッジ９の副走査方向Ｄ１における往復移動が繰り返されても、ＦＦＣ１４が損傷することを抑制できる。
【００３６】
折り返し部は、ＦＦＣ１４の一方が固定部１３に固定され、ＦＦＣ１４の他方が筐体２の底部に接する。折り返し部は、固定部１３から副走査方向Ｄ１における図面左側に突き出し、方向を変えて副走査方向Ｄ１における図面右側に折り返すように備えられる。
【００３７】
図３（ａ）は、キャリッジ９に設けられた固定部１３の外観斜視図である。キャリッジ９には、支持部５０に支持され、主走査方向Ｄ２に対して傾斜する傾斜面５１ａ，５１ｂが備えられる。傾斜面５１ａ，５１ｂによって、副走査方向Ｄ１に伸びる辺５２が形成される。
【００３８】
キャリッジ９には、副走査方向Ｄ１における傾斜面５１ａ，５１ｂ側が開口する開口部５４が形成され、開口部５４は、キャリッジ９の鉛直方向Ｄ３における図面下側に貫通する貫通孔（不図示）と直結している。
【００３９】
傾斜面５１ａ，５１ｂの鉛直方向Ｄ３における図面上側には、押さえ部５３ａ，５３ｂが、傾斜面５１ａ，５１ｂとの隙間Ｂを設けてキャリッジ９にそれぞれ固定される。
【００４０】
本実施形態における固定部１３は、支持部５０、傾斜面５１ａ，５１ｂ、押さえ部５３ａ，５３ｂ、開口部５４を含んで構成される。
【００４１】
図３（ｂ）は、固定部１３によって固定されたＦＦＣ１４を示す外観斜視図である。ＦＦＣ１４の一部は、傾斜面５１ａ，５１ｂと押さえ部５３ａ，５３ｂとの図３（ａ）の隙間Ｂにそれぞれ挟まれるようにして固定される。
【００４２】
図４（ａ）は、図３（ａ）の位置Ｇ１における副走査方向Ｄ１から見た傾斜面５１ａ，５１ｂの断面形状を示す図である。図４（ｂ）は、ＦＦＣ１４の折り返し部（図１参照）を示す外観斜視図である。図４（ｃ）は、図４（ｂ）の位置Ｇ２におけるＦＦＣ１４の断面図である。
【００４３】
主走査方向Ｄ２に対して傾斜する図４（ａ）の傾斜面５１ａ，５１ｂによって辺５２と角部Ｅ１が形成される。
【００４４】
図４（ｂ）の折り返し部の図面左側は、図１のコネクター１１に接続され、折り返し部の図面右側は、データ処理部１５に接続される。
【００４５】
図４（ｂ）のＦに示す範囲は、図３（ｂ）のＦＦＣ１４が傾斜面５１ａ，５１ｂと押さえ部５３ａ，５３ｂによって固定される範囲を示す。範囲Ｆにおいては、ＦＦＣ１４が辺５２に当接し、角部Ｅ１によって折り曲げられるので、ＦＦＣ１４における範囲Ｆには、固定部１３の辺５２と角部Ｅ１に沿って、ＦＦＣ１４の辺１４ｅが形成される。
【００４６】
図４（ｂ）のＦＦＣ１４の折り返し部における破線１４ｆは、ＦＦＣ１４の主走査方向Ｄ２における中央部を示す。ＦＦＣ１４の範囲Ｆにおいては、固定部１３によって、主走査方向Ｄ２に折り曲げられた状態で固定される。そのため、図４（ｂ）のＦＦＣ１４の折り返し部においては、図４（ｃ）に示すように、主走査方向Ｄ２に対して曲げられた形状となる。
【００４７】
図３（ｂ）のＦＦＣ１４は、開口部５４に挿入し、開口部５４と直結する貫通孔を鉛直方向Ｄ３の図面下側に向かって貫通し、支持部５０の鉛直方向Ｄ３における下端で折れ曲がり、キャリッジ９の鉛直方向Ｄ３における下側を回りこむようにして備えられる。ＦＦＣ１４は、キャリッジ９の支持部５０とは反対側に備えられたコネクター１１に挿入する。
【００４８】
図５（ａ）〜（ｃ）は、キャリッジ９が副走査方向Ｄ１に往復移動するとき、主走査方向Ｄ２から見たＦＦＣ１４の折り返し部の形状が変化する様子を説明する図である。図５（ａ）では、キャリッジ９が副走査方向Ｄ１における図面左側に位置し、データ処理部１５から最も離れた位置にある。
【００４９】
図５（ｂ）では、キャリッジ９が図５（ａ）の位置から矢印の方向に移動し、キャリッジ９が副走査方向Ｄ１における図面右側に位置し、データ処理部１５に近い位置にある。
【００５０】
図５（ｃ）では、キャリッジ９が図５（ｂ）の位置から矢印の方向に移動し、キャリッジ９が副走査方向Ｄ１における図５（ａ）の位置と図５（ｂ）の位置との間の位置にある。
【００５１】
本実施形態のＦＦＣ１４は、辺１４ｅが形成され、主走査方向Ｄ２に対してすなわちＦＦＣ１４の幅方向Ｄ２に対して曲がる面を有しているので、ＦＦＣ１４は、副走査方向Ｄ１すなわちキャリッジ９の移動方向Ｄ１において折れ曲がることが抑制される。そのため、キャリッジ９が、図５（ａ）〜（ｃ）の位置に示すように、往復移動しても、ＦＦＣ１４が巻き込むことが抑制されるので、ＦＦＣ１４がキャリッジ９に当接することがない。
【００５２】
（比較例）
次に、比較例における固定部について説明する。図６（ａ）は、比較例におけるキャリッジ９に設けられた固定部２０の外観斜視図である。当接部６０は、水平面６１ａを有する。当接部６０の鉛直方向Ｄ３における図面上側には、隙間Ｃを設けて押さえ部６２ａ，６２ｂが備えられる。
【００５３】
キャリッジ９には、副走査方向Ｄ１における水平面６１ａ側が開口する開口部５４が形成され、開口部５４は、キャリッジ９の鉛直方向Ｄ３における図面下側に貫通する貫通孔（不図示）と直結している。
【００５４】
図６（ｂ）は、比較例における固定部２０によって固定されたＦＦＣ１４を示す外観斜視図である。ＦＦＣ１４は、当接部６０の水平面６１ａに当接し、開口部５４と開口部５４と直結する貫通孔を貫通し、キャリッジ９の鉛直方向Ｄ３における下端を回りこむようにして、キャリッジ９に備えられたコネクター１１に挿入する。
【００５５】
図６（ｂ）の比較例におけるＦＦＣ１４は、水平面６１ａを有する当接部６０に当接するので、ＦＦＣ１４は、平面のままである。
【００５６】
図７（ａ）〜（ｃ）は、比較例におけるキャリッジ９が副走査方向Ｄ１に往復移動するとき、主走査方向Ｄ２から見たＦＦＣ１４の折り返し部の形状が変化する様子を説明する図である。図７（ａ）は、キャリッジ９が副走査方向Ｄ１における図面左側に位置し、データ処理部１５から最も離れた位置にある。
【００５７】
図７（ｂ）は、キャリッジ９が図７（ａ）の位置から矢印の方向に移動し、キャリッジ９が副走査方向Ｄ１における図面右側に位置し、データ処理部１５に近い位置にある。図７（ｂ）に示すように、比較例におけるＦＦＣ１４の折り返し部における位置Ｈに示すように、ＦＦＣ１４が鉛直方向Ｄ３に撓み、鉛直方向Ｄ３における図面下側に凸状となる湾曲形状が生じる。
【００５８】
図７（ｃ）は、キャリッジ９が図７（ｂ）の位置から矢印の方向に移動し、キャリッジ９が副走査方向Ｄ１における図７（ａ）の位置と図７（ｂ）の位置との間の位置にある。図７（ｃ）に示すように、キャリッジ９が、図７（ｂ）の位置から図７（ｃ）の位置に移動するとき、ＦＦＣ１４の一部を巻き込んで折れ曲がってしまい、キャリッジ９がＦＦＣ１４の折れ曲がった部分に当接してしまう場合がある。
【００５９】
以上、本実施形態で説明したイメージスキャナー１は、原稿台４を支持する筐体２と、筐体２の内部を原稿台４の盤面と平行に往復移動するキャリッジ９と、キャリッジ９に搭載され、原稿台４に載置された原稿Ｓからの反射光を出力信号に変換するイメージセンサー７を有し、原稿Ｓから画像を読み取る画像読取部６と、画像読取部６からの出力信号を画像データに変換処理するデータ処理部１５と、一端が画像読取部６と電気的に接続され、他端がデータ処理部１５と電気的に接続され、筐体２の内部で折り返し部が形成される信号ケーブルとしてのＦＦＣ１４と、キャリッジ９に設けられ、ＦＦＣ１４をキャリッジ９に固定する固定部１３と、を備え、固定部１３は、ＦＦＣ１４の幅方向Ｄ２に対して曲げを付与する。
【００６０】
この構成によれば、ＦＦＣ１４は、ＦＦＣ１４の幅方向Ｄ２に対して曲げられた状態で、固定部１３に固定される。これにより、ＦＦＣ１４は、キャリッジ９の移動方向Ｄ１において折れ曲がることが抑制されるので、キャリッジ９の移動に伴ってＦＦＣ１４の一部を巻き込むようにして折れ曲がってしまうことが抑制される。従って、ＦＦＣ１４の一部を巻き込むようにして折れ曲がった部分のＦＦＣ１４に、キャリッジ９が当接してしまい、キャリッジ９が移動できなくなってしまうことを防止できる。
【００６１】
また、固定部１３には、ＦＦＣ１４の幅方向Ｄ２に対して傾斜する二つの傾斜面５１ａ，５１ｂが形成され、傾斜面５１ａ，５１ｂによって、キャリッジ９の移動方向Ｄ１に伸びる一つの辺５２が形成される。
【００６２】
この構成によれば、ＦＦＣ１４は、辺５２に沿って折れ曲がるようにして固定される。そのため、ＦＦＣ１４にも、キャリッジ９の移動方向Ｄ１の直線である辺１４ｅが形成される。これにより、ＦＦＣ１４は、キャリッジ９の移動方向Ｄ１において折れ曲がることが抑制される。
【００６３】
また、ＦＦＣ１４の幅方向Ｄ２に対して折り曲げた状態で、ＦＦＣ１４を備えてもよい。このような場合においても、固定部１３は、ＦＦＣ１４に対して幅方向Ｄ２に曲げを付与するので、環境温度の上昇や、経年変化により、ＦＦＣ１４の形状が折り曲げられた形状から平面形状に戻ってしまうことを抑制できる。
【００６４】
（第２実施形態）
第１実施形態では、固定部１３には一つの辺５２が形成されていたが、第２実施形態では、固定部に複数の辺が形成されたイメージスキャナーについて説明する。
【００６５】
図８（ａ）は、本実施形態におけるキャリッジ９ａに設けられた固定部１３ａの外観斜視図である。キャリッジ９ａには、支持部７０に支持され、主走査方向Ｄ２に対して傾斜する傾斜面７１ａ，７１ｃと水平面７１ｂが備えられる。
【００６６】
傾斜面７１ａと水平面７１ｂとによって、副走査方向Ｄ１に伸びる辺７２ａが形成され、傾斜面７１ｃと水平面７１ｂとによって、副走査方向Ｄ１に伸びる辺７２ｂが形成される。
【００６７】
キャリッジ９ａには、辺７２ａ，７２ｂ側に開口する開口部７３が形成され、開口部７３は、キャリッジ９ａの鉛直方向Ｄ３における図面下側に貫通する貫通孔（不図示）と直結している。
【００６８】
傾斜面７１ａ，７１ｃの鉛直方向Ｄ３における図面上側には、第１実施形態の図３（ａ）で示したように押さえ部（不図示）が、傾斜面７１ａ，７１ｃとの隙間を設けてキャリッジ９ａにそれぞれ固定される。
【００６９】
図８（ｂ）は、副走査方向Ｄ１から見た固定部１３ａの位置Ｇ３における複数の辺の断面形状を示す図である。傾斜面７１ａと水平面７１ｂとによって形成される辺７２ａの反対側には角部Ｅ２が形成され、傾斜面７１ｃと水平面７１ｂとによって形成される辺７２ｂの反対側には角部Ｅ３が形成される。
【００７０】
ＦＦＣ１４が、傾斜面７１ａ，７１ｃと水平面７１ｂに当接する。そのため、ＦＦＣ１４は、角部Ｅ２，Ｅ３によって折れ曲がり、辺７２ａ，７２ｂに対応するＦＦＣ１４の位置に辺（不図示）が形成される。
【００７１】
このように、固定部１３ａには、主走査方向Ｄ２すなわちＦＦＣ１４の幅方向Ｄ２に対して傾斜する傾斜面７１ａ，７１ｂと水平面７１ｂが形成され、傾斜面７１ａ，７１ｂと水平面７１ｂによって、副走査方向Ｄ１すなわちキャリッジ９ａの移動方向Ｄ１に伸びる二つの辺７２ａ，７２ｂが形成される。
【００７２】
本実施形態のイメージスキャナーのその他の構成は、第１実施形態で図１を用いて説明したイメージスキャナー１の構成と同じである。
【００７３】
本実施形態の固定部１３ａを用いれば、ＦＦＣ１４は、複数の辺７２ａ，７２ｂに沿って折れ曲がるようにして固定される。そのため、ＦＦＣ１４にも、キャリッジ９ａの移動方向Ｄ１の直線である複数の辺が形成される。これにより、ＦＦＣ１４は、キャリッジ９ａの移動方向Ｄ１において折れ曲がることが抑制される。
【００７４】
（第３実施形態）
第３実施形態では、固定部に曲面が形成されたイメージスキャナーについて説明する。図９（ａ）は、本実施形態におけるキャリッジ９ｂに設けられた固定部１３ｂの外観斜視図である。キャリッジ９ｂには、湾曲している曲面８１が形成された当接部８０が備えられる。
【００７５】
キャリッジ９ｂには、開口部８２が形成され、開口部８２と直結する貫通孔（不図示）は、キャリッジ９ｂの鉛直方向Ｄ３における下側に貫通している。
【００７６】
曲面８１の鉛直方向Ｄ３における図面上側には、第１実施形態の図３（ａ）で示したように押さえ部（不図示）が、曲面８１との隙間を設けてキャリッジ９ｂに固定される。
【００７７】
図９（ｂ）は、副走査方向Ｄ１から見た位置Ｇ４における曲面８１の断面形状を示す図である。ＦＦＣ１４が、曲面８１に当接する。そのため、ＦＦＣ１４は、曲面８１に沿って折れ曲がる。
【００７８】
本実施形態のイメージスキャナーのその他の構成は、第１実施形態で図１を用いて説明したイメージスキャナー１の構成と同じである。
【００７９】
本実施形態の固定部１３ｂを用いれば、ＦＦＣ１４は、湾曲している曲面８１に当接して固定されるので、ＦＦＣ１４には、ＦＦＣ１４の幅方向Ｄ２に曲がる湾曲部が形成される。これにより、ＦＦＣ１４は、副走査方向Ｄ１すなわちキャリッジ９ｂの移動方向Ｄ１において折れ曲がることが抑制される。
【００８０】
（第４実施形態）
第４実施形態では、キャリッジ側から原稿台４側を向く方向に傾斜した面を有する固定部を備えたイメージスキャナーについて説明する。図１０は、本実施形態におけるキャリッジ９ｃに設けられた固定部１３ｃの外観斜視図である。キャリッジ９ｃには、傾斜面９１ａ，９１ｂが形成された支持部９０が備えられる。
【００８１】
キャリッジ９ｃには、傾斜面９１ａ，９１ｂ側に開口する開口部９３が形成され、開口部９３と直結する貫通孔（不図示）は、キャリッジ９ｃの鉛直方向Ｄ３における図面下側に貫通している。
【００８２】
傾斜面９１ａ，９１ｂの鉛直方向Ｄ３における図面上側には、第１実施形態の図３（ａ）で示したように押さえ部（不図示）が、傾斜面９１ａ，９１ｂとの隙間を設けてキャリッジ９ｃに固定される。
【００８３】
矢印Ｊは、傾斜面９１ｂの面方向を示す。傾斜面９１ｂの面方向Ｊは、副走査方向Ｄ１に対して、キャリッジ９ｃ側から原稿台４側を向く方向に傾斜している。同様に、傾斜面９１ａの面方向Ｊは、副走査方向Ｄ１に対して、キャリッジ９ｃ側から原稿台４側を向く方向に傾斜している。
【００８４】
図１１は、固定部１３ｃに固定されたＦＦＣ１４を主走査方向Ｄ２から見た模式図である。図１０に示すように、ＦＦＣ１４は、傾斜面９１ａ，９１ｂに当接して固定されるので、図１１のＦＦＣ１４は、支持部９０に形成された辺９２に沿って固定される。そのため、ＦＦＣ１４が辺９２に当接する部分の方向Ｊは、副走査方向Ｄ１すなわちキャリッジ９ｃの移動方向Ｄ１に対して、キャリッジ９ｃ側から原稿台４側に向く方向に傾斜する。
【００８５】
図１１の位置Ｐ１は、辺９２におけるキャリッジ９ｃと反対側の先端の位置を示す。位置Ｐ２は、鉛直方向Ｄ３においてＦＦＣ１４の折り返し部に形成された湾曲部の頂点の位置を示す。
【００８６】
傾斜面９１ａ，９１ｂに当接して固定されたＦＦＣ１４は、方向Ｊを向くように備えられるので、ＦＦＣ１４における頂点の位置Ｐ２は、辺９２における先端の位置Ｐ１より、原稿台４側に位置する。
【００８７】
そのため、ＦＦＣ１４の折り返し部に形成された湾曲部において、筐体２の底部に接しない範囲Ｑ１が大きくなり、ＦＦＣ１４における筐体２の底部に接する範囲Ｑ２が小さくなる。
【００８８】
これにより、キャリッジ９ｃが副走査方向Ｄ１に移動したとき、ＦＦＣ１４の一部を巻き込むことを抑制することができる。
【００８９】
（第５実施形態）
第５実施形態では、ＦＦＣにおける固定部に固定される部位の幅は、ＦＦＣの折り返し部における幅より長いＦＦＣを備えたイメージスキャナーについて説明する。
【００９０】
図１２は、第５実施形態におけるＦＦＣ１７を示す図である。ＦＦＣ１７は、複数の導線１７ｃが主走査方向Ｄ２に並ぶ。破線で示す導線１７ｃは、樹脂などの絶縁材１７ｄで被覆されている。露出部１７ａの実線で示す導線１７ｃは、一方の面が絶縁材１７ｄで被覆され、他方の面が露出している。
【００９１】
ＦＦＣ１７における範囲Ｎ１を、第１実施形態の固定部１３の傾斜面５１ａ，５１ｂに当接させて固定する。ＦＦＣ１７における範囲Ｎ２側は、折り返し部となる。
【００９２】
範囲Ｎ１における主走査方向Ｄ２の幅の長さＬ１は、範囲Ｎ２における主走査方向Ｄ２の幅の長さＬ２より長い。
【００９３】
この構成によれば、主走査方向Ｄ２すなわちＦＦＣ１７の幅方向Ｄ２において、第１実施形態の図１の固定部１３の角部Ｅ１に当接させてＦＦＣ１７を曲げようとするとき、支点となる辺５２の位置と、作用点となる押さえ部５３ａ，５３ｂがＦＦＣ１７に当接する位置との距離を長くすることができるので、固定部１３の押さえ部５３ａ，５３ｂがＦＦＣ１７を押さえて固定する力を小さくすることができる。
【００９４】
第５実施形態のイメージスキャナーのその他の構成は、第１実施形態で説明した構成と同じである。
【００９５】
（第６実施形態）
第６実施形態では、固定部にＦＦＣ１４の幅を狭める部材を設け、ＦＦＣ１４の幅方向Ｄ２に対して曲げを付与する場合について説明する。
【００９６】
図１３（ａ）は、第６実施形態におけるキャリッジ９に設けられた固定部１３ｄの外観斜視図である。キャリッジ９には、鉛直方向Ｄ３における図面下側に貫通する貫通孔（不図示）と直結し、副走査方向Ｄ１に開口する開口部４２が形成されている。
【００９７】
図１３（ｂ）は、固定部１３ｄによって固定されたＦＦＣ１４を示す外観斜視図である。ＦＦＣ１４は、キャリッジ９のＦＦＣ１４の反対側にあるコネクター１１に接続される。ＦＦＣ１４は、コネクター１１からキャリッジ９の図面下側を回り込むようにして備えられ、貫通孔を通り、開口部４２から副走査方向Ｄ１における図面左側に突き出すようにして備えられる。
【００９８】
キャリッジ９には、幅方向規制部材４１ａ，４１ｂを支持する支持部材４０が備えられる。幅方向規制部材４１ａ，４１ｂ間の主走査方向Ｄ２における図１３（ａ）の距離Ｌ３は、図２のＦＦＣ１４に主走査方向Ｄ２に対して曲げが付与されていない状態における長さＬ４より短い。そのため、幅方向規制部材４１ａ，４１ｂは、開口部４２から突き出すようにして備えられるＦＦＣ１４の幅方向Ｄ２の幅を規制することができる。
【００９９】
ＦＦＣ１４は、主走査方向Ｄ２において幅方向規制部材４１ａ，４１ｂによって挟まれるようにして備えられる。そのため、ＦＦＣ１４にはＦＦＣ１４の幅方向Ｄ２に対して曲げが付与される。
【０１００】
これにより、図１３（ｂ）のＦＦＣ１４には、副走査方向Ｄ１に伸びる辺１４ｅが形成され、ＦＦＣ１４の折り返し部には、ＦＦＣ１４の破線１４ｆでＦＦＣ１４の幅方向Ｄ２に対して曲がる面が形成される。
【０１０１】
従って、ＦＦＣ１４は、キャリッジ９の移動方向Ｄ１において折れ曲がることが抑制されるので、キャリッジ９の移動に伴ってＦＦＣ１４の一部を巻き込むようにして折れ曲がってしまうことが抑制される。従って、ＦＦＣ１４の一部を巻き込むようにして折れ曲がった部分のＦＦＣ１４に、キャリッジ９が当接してしまい、キャリッジ９が移動できなくなってしまうことを防止できる。
【０１０２】
以上、説明した第１実施形態から第６実施形態では、画像読取装置としてのイメージスキャナーについて説明したが、画像読取機能と画像形成機能とを備えた複合機においても、適用する。図１４は、画像読取機能と画像形成機能とを備えた複合機の概略構成を示す模式図である。
【０１０３】
複合機２００は、画像読取装置としてのイメージスキャナー１ａと画像形成装置としてのプリンター１００とから構成される。イメージスキャナー１ａは原稿Ｓに描かれた画像を読み取る機能を有し、プリンター１００は記録媒体としての用紙Ｍに画像を形成する機能を有する。
【０１０４】
イメージスキャナー１ａの筐体２ａにおける開口部３には、透明な原稿台４が備えられ、開口部３を原稿カバー５によって覆う状態と開放する状態にすることができる。
【０１０５】
イメージスキャナー１ａの筐体２ａ内には、ガイド部１０に沿って往復移動する画像読取部６、画像読取部６から出力された出力信号を画像データに変換するデータ処理部１５、画像読取部６とデータ処理部１５とを電気的に接続するＦＦＣ１４が備えられる。
【０１０６】
画像読取部６には、光学ユニット８、イメージセンサー７、ＦＦＣ１４の露出部１４ａ（図２参照）と接続するコネクター１１が備えられる。キャリッジ９には、ＦＦＣ１４を固定するための固定部１３が備えられる。データ処理部１５には、ＦＦＣ１４の露出部１４ｂと接続するコネクター１６が備えられる。
【０１０７】
イメージスキャナー１ａを構成する画像読取部６、データ処理部１５、ＦＦＣ１４、固定部１３などは、第１実施形態で説明したイメージスキャナー１の構成と同じである。
【０１０８】
イメージスキャナー１ａの鉛直方向Ｄ３における図面下側には、プリンター１００が備えられる。プリンター１００の筐体１０１内には、プリンター用キャリッジモーター（不図示）、回転ベルト（不図示）、プリンター用キャリッジモーター駆動回路（不図示）などから構成されるキャリッジ駆動部が備えられる。キャリッジ駆動部は、回転ベルトに固定されたプリンターキャリッジ１０４をガイド部１０６に沿って移動させる。
【０１０９】
プリンターキャリッジ１０４には、カラーインクを充填したインクカートリッジ１０３、モノクロインクを充填したインクカートリッジ１０２が着脱可能に搭載される。プリンターキャリッジ１０４には、インクを噴射する液体噴射ヘッド１０５が備えられる。
【０１１０】
プリンター１００の筐体１０１内には、搬送用モーター（不図示）、歯車列（不図示）などから構成される用紙搬送部が備えられる。用紙搬送部は、用紙Ｍをプリンターキャリッジ１０４の移動方向と交わる方向に搬送させる。
【０１１１】
プリンター１００は、イメージスキャナー１ａのデータ処理部１５から出力された画像データや複合機２００の外部に接続されたコンピューター（不図示）から入力された画像データを用いて、搬送される用紙Ｍに液体噴射ヘッド１０５からインクを噴射させて画像を形成する。
【０１１２】
このような複合機２００において、第１実施形態から第６実施形態で説明した固定部を備えることにより、イメージスキャナー１ａ内におけるＦＦＣ１４の一部を巻き込むことを抑制することができる。
【符号の説明】
【０１１３】
１，１ａ…画像読取装置としてのイメージスキャナー、２，２ａ…筐体、４…原稿台、６…画像読取部、７…イメージセンサー、９，９ａ，９ｂ，９ｃ…キャリッジ、１１…導出部としてのコネクター、１３，１３ａ，１３ｂ，１３ｃ，１３ｄ…固定部、１４，１７…フレキシブルフラットケーブル（ＦＦＣ）、１５…データ処理部、５１ａ，５１ｂ，７１ａ，７１ｃ，９１ａ，９１ｂ…傾斜面、７１ｂ…水平面、１００…画像形成装置としてのプリンター、２００…複合機、Ｄ１…キャリッジの移動方向（副走査方向）、Ｄ２…フレキシブルフラットケーブルの幅方向（主走査方向）、Ｍ…記録媒体としての用紙、Ｓ…原稿。
【図１】
2012083515.tif 000003
【図２】
2012083515.tif 000004
【図３】
2012083515.tif 000005
【図４】
2012083515.tif 000006
【図５】
2012083515.tif 000007
【図６】
2012083515.tif 000008
【図７】
2012083515.tif 000009
【図８】
2012083515.tif 000010
【図９】
2012083515.tif 000011
【図１０】
2012083515.tif 000012
【図１１】
2012083515.tif 000013
【図１２】
2012083515.tif 000014
【図１３】
2012083515.tif 000015
【図１４】
2012083515.tif 000016